(57)【要約】【課題】ＩＣへの印加電圧が十分な、回路構成が簡単な、コストが安い、液晶表示装置を提供する。【解決手段】第１基板２およびそれより面積が小さい第２基板３と、両基板間２，３に挟持され、シール材に囲まれた液晶９と、前記第２基板３の裏面に設けられた共通電極１１と、１端が前記第１基板２の端部近傍に位置し、中間が前記第２基板３の外側に位置する前記第１基板２の突出部８に位置し、他端が導電部を介して、前記共通電極１１に接続された第１配線１２と、前記第１配線１２に対して一側に位置する前記突出部８上に配置された第１ＩＣ１９，２０と、前記第１配線１２に対して他側に位置する前記突出部８上に配置された第２ＩＣ２１，２２と、前記第１ＩＣ１９，２０に対して各制御信号および各電圧を供給し、前記第１配線１２に対し一側に位置する第１配線群２３を設けた。【選択図】図１
2006349983.tif 000002
【特許請求の範囲】
【請求項１】
第１基板およびそれより面積が小さい第２基板と、両基板間に挟持され、シール材に囲まれた液晶と、前記第２基板の裏面に設けられた共通電極と、１端が前記第１基板の端部近傍に位置し、中間が前記第２基板の外側に位置する前記第１基板の突出部に位置し、他端が導電部を介して、前記共通電極に接続された第１配線と、前記液晶を駆動し、前記第１配線に対して一側に位置する前記突出部上に配置された第１ＩＣと、前記液晶を駆動し、
前記第１配線に対して他側に位置する前記突出部上に配置された第２ＩＣと、前記第１ＩＣに対して、各制御信号および各電圧を供給し、前記第１配線に対し一側に位置する第１配線群と、前記第２ＩＣに対して、各制御信号および各電圧を供給し、前記第１配線に対して、他側に位置する第２配線群を設けた事を特徴とする液晶表示装置。
【請求項２】
前記第１基板上に、行列状に複数の信号線および走査線が設けられ、前記第２ＩＣの一方は前記第１配線の近くに配置され、前記一方の第２ＩＣの出力端子は各信号線に接続され前記第２ＩＣの他方は前記第１配線の遠くに配置され、前記他方の第２ＩＣの出力端子は各走査線に接続され、前記一方の第２ＩＣの入力端子に接続される第２端子と、前記第１基板の端部近傍に設けられた第１端子との間に、高さ方向に分離した多層の導電層からなる第１中継部を設けた事を特徴とする請求項１の液晶表示装置。
【請求項３】
第２配線は、前記第１端子と、前記第１中継部と、前記第２端子からなり、前記第１中継部は、前記第１基板上に順に設けられた第１導電層と第１絶縁層と第２導電層と第２絶縁層とからなり、前記第１導電層および前記第２導電層は略同一の幅に形成され、前記第１導電層は前記第２導電層よりも厚く形成され、前記第１端子の１部および前記第２端子の１部は、前記第１導電層に連なって形成され露出され、前記第１端子の他部および前記第２端子の他部は、前記第２導電層に連なって形成され露出されている事を特徴とする請求項２の液晶表示装置。
【請求項４】
前記第２端子の１部の幅は、前記一方の第２ＩＣに設けられた、より多い数の入力端子を覆う様に形成され、前記第２端子の他部の幅は、前記一方の第２ＩＣに設けられた、より少ない数の入力端子を覆う様に形成されている事を特徴とする請求項３の液晶表示装置。
【請求項５】
前記第１基板上に、行列状に複数の信号線および走査線が設けられ、前記第１ＩＣは複数個が離れて配置され、各第１ＩＣの出力端子は各信号線に接続され、前記第１配線に対して遠くに位置する前記第１ＩＣの入力端子に接続される第４端子と、前記第１基板の端部近傍に設けられた第３端子との間に、高さ方向に分離した多層の導電層からなる第２中継部を設けた事を特徴とする請求項１の液晶表示装置。
【請求項６】
第３配線は、前記第３端子と、前記第２中継部と、前記第４端子からなり、前記第２中継部は、前記第１基板上に順に設けられた第１導電層と第１絶縁層と第２導電層と第２絶縁層とからなり、前記第１導電層および前記第２導電層は略同一の幅に形成され、前記第１導電層は前記第２導電層よりも厚く形成され、前記第３端子の１部および前記第４端子の１部は、前記第１導電層に連なって形成され露出され、前記第３端子の他部および前記第４端子の他部は、前記第２導電層に連なって形成され露出されている事を特徴とする請求項５の液晶表示装置。
【請求項７】
前記第４端子の１部の幅は、前記第１ＩＣに設けられた、より多い数の入力端子を覆う様に形成され、前記第４端子の他部の幅は、前記第１ＩＣに設けられた、より少ない数の入力端子を覆う様に形成されている事を特徴とする請求項６の液晶表示装置。
【請求項８】
前記第２配線および前記第３配線には、接地電圧または駆動用電圧が供給される事を特徴とする請求項３または請求項６の液晶表示装置。
【発明の詳細な説明】
【技術分野】
【０００１】
本発明は液晶表示装置に関する。
【背景技術】
【０００２】
従来、この種の装置は例えば特許文献１に示されている。特許文献１に示された図１によると、第１基板１上に、複数の駆動用ＩＣ３が配置されている。フレキシブル配線基板７は入力配線６を介して、分配用半導体チップ５に接続されている。分配用半導体チップ５と複数の駆動用ＩＣ３との間に、配線群が配置されている。
【特許文献１】特許第３１２３６１６号公報
【発明の開示】
【発明が解決しようとする課題】
【０００３】
上記装置では、高価な分配用半導体チップ５が必要となり、コストが高くなる、第１の欠点がある。また、分配用半導体チップ５から遠い位置にあるＩＣ１３まで、配線が長くなり、ＩＣ１３への印加電圧が不足する、第２の欠点がある。
【０００４】
更に、分配用半導体チップ５と、第２基板の裏面に設けられた共通電極とを接続する共通線は、複数の配線を横断するため、回路構成が複雑となる、第３の欠点がある。そこで本発明は、この様な従来の欠点を考慮して、ＩＣへの印加電圧が十分な、回路構成が簡単な、コストが安い、液晶表示装置を提供する。
【課題を解決するための手段】
【０００５】
上記課題を解決するために、請求項１の本発明では、第１基板およびそれより面積が小さい第２基板と、両基板間に挟持され、シール材に囲まれた液晶と、前記第２基板の裏面に設けられた共通電極と、１端が前記第１基板の端部近傍に位置し、中間が前記第２基板の外側に位置する前記第１基板の突出部に位置し、他端が導電部を介して、前記共通電極に接続された第１配線と、前記液晶を駆動し、前記第１配線に対して一側に位置する前記突出部上に配置された第１ＩＣと、前記液晶を駆動し、前記第１配線に対して他側に位置する前記突出部上に配置された第２ＩＣと、前記第１ＩＣに対して、各制御信号および各電圧を供給し、前記第１配線に対し一側に位置する第１配線群と、前記第２ＩＣに対して、各制御信号および各電圧を供給し、前記第１配線に対して、他側に位置する第２配線群を設けた。
【０００６】
請求項２の本発明では、前記第１基板上に、行列状に複数の信号線および走査線が設けられ、前記第２ＩＣの一方は前記第１配線の近くに配置され、前記一方の第２ＩＣの出力端子は各信号線に接続され前記第２ＩＣの他方は前記第１配線の遠くに配置され、前記他方の第２ＩＣの出力端子は各走査線に接続され、前記一方の第２ＩＣの入力端子に接続される第２端子と、前記第１基板の端部近傍に設けられた第１端子との間に、高さ方向に分離した多層の導電層からなる第１中継部を設けた。
【０００７】
請求項３の本発明では、第２配線は、前記第１端子と、前記第１中継部と、前記第２端子からなり、前記第１中継部は、前記第１基板上に順に設けられた第１導電層と第１絶縁層と第２導電層と第２絶縁層とからなり、前記第１導電層および前記第２導電層は略同一の幅に形成され、前記第１導電層は前記第２導電層よりも厚く形成され、前記第１端子の１部および前記第２端子の１部は、前記第１導電層に連なって形成され露出され、前記第１端子の他部および前記第２端子の他部は、前記第２導電層に連なって形成され露出されている。
【０００８】
請求項４の本発明では、前記第２端子の１部の幅は、前記一方の第２ＩＣに設けられた、より多い数の入力端子を覆う様に形成され、前記第２端子の他部の幅は、前記一方の第２ＩＣに設けられた、より少ない数の入力端子を覆う様に形成されている。
【０００９】
請求項５の本発明では、前記第１基板上に、行列状に複数の信号線および走査線が設けられ、前記第１ＩＣは複数個が離れて配置され、各第１ＩＣの出力端子は各信号線に接続され、前記第１配線に対して遠くに位置する前記第１ＩＣの入力端子に接続される第４端子と、前記第１基板の端部近傍に設けられた第３端子との間に、高さ方向に分離した多層の導電層からなる第２中継部を設けた。
【００１０】
請求項６の本発明では、第３配線は、前記第３端子と、前記第２中継部と、前記第４端子からなり、前記第２中継部は、前記第１基板上に順に設けられた第１導電層と第１絶縁層と第２導電層と第２絶縁層とからなり、前記第１導電層および前記第２導電層は略同一の幅に形成され、前記第１導電層は前記第２導電層よりも厚く形成され、前記第３端子の１部および前記第４端子の１部は、前記第１導電層に連なって形成され露出され、前記第３端子の他部および前記第４端子の他部は、前記第２導電層に連なって形成され露出されている。
【００１１】
請求項７の本発明では、前記第４端子の１部の幅は、前記第１ＩＣに設けられた、より多い数の入力端子を覆う様に形成され、前記第４端子の他部の幅は、前記第１ＩＣに設けられた、より少ない数の入力端子を覆う様に形成されている。
【００１２】
請求項８の本発明では、前記第２配線および前記第３配線には、接地電圧または駆動用電圧が供給される。
【発明の効果】
【００１３】
請求項１の構成により、共通電極に接続される第１配線に対して、第１配線群および第２配線群を振り分けることにより、第１配線と、第１配線群および第２配線群とが立体交差する数を減らすことができる。その結果、回路構成が簡単となる。また、従来の半導体チップが要らないので、コストが安くなる。
【００１４】
請求項２の構成により、信号線に接続される第２ＩＣの近傍では、配線数が増えるが、この第２ＩＣに接続される第１中継部を多層の導電層にて構成することにより、配線の幅を小さくできる。その結果、配線数が増えても、配線による全体の幅を小さくできる。また、配線抵抗も小さくできる。
【００１５】
請求項３の構成により、第１端子および第２端子を分散することにより、第１ＩＣの複数の入力端子を分散して、第２端子に接続でき、全体としての配線抵抗が小さくなる。
【００１６】
請求項４の構成により、比較的厚く、抵抗が小さい第１導電層に接続する第２ＩＣの入力端子を増やすことにより、第２配線の抵抗は小さくなる。その結果、第２ＩＣへ十分な電圧を供給できる。
【００１７】
請求項５の構成により、第１配線より遠くに位置する第１ＩＣに接続される第２中継部を多層の導電層にて構成することにより、第２中継部の抵抗を小さくできる。その結果、上記第１ＩＣへの電圧が十分となる。
【００１８】
請求項６の構成により、第３端子および第４端子を分散することにより、第１ＩＣの複数の入力端子を分散して、第４端子に接続でき、全体としての配線抵抗が小さくなる。
【００１９】
請求項７の構成により、比較的厚く、抵抗が小さい第１導電層に接続する第１ＩＣの入力端子を増やすことにより、第３配線の抵抗は小さくなる。その結果、第１ＩＣへ十分な電圧を供給できる。
【００２０】
請求項８の構成により、多層の導電層を有する第２配線および第３配線に、接地電圧または駆動用電圧を供給するので、第１ＩＣおよび第２ＩＣに対し、正確かつ十分な電圧を供給できる。
【発明を実施するための最良の形態】
【００２１】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００２２】
以下、図１ないし図７に従い、本実施例に係る液晶表示装置１を説明する。図１は液晶表示装置１の模式図である。図２は液晶表示装置１の配線図の１部である。図３は液晶表示装置１の配線図の残部である。図４は液晶表示装置１に用いられる第２配線の平面図である。図５は図４のＡ１Ａ２断面図である。図６は図４のＢ１Ｂ２断面図である。図７は液晶表示装置１に用いられる共通電極周辺の断面図である。
【００２３】
これらの図において、第１基板２は例えばガラス板等からなり、平面から見れば、長方形である。第２基板３は例えばガラス基板等からなり、平面から見れば長方形である。平面から見れば、第２基板３の面積は、第１基板２より小さい。
【００２４】
第１基板２および第２基板３は各々の上辺および左辺が一致する様に配置されている。第２基板３の下辺（端部）４と第１基板２の下辺（端部）５との間、および第２基板３の右辺６と第１基板２の右辺７との間に、第１基板２の突出部８が設けられている。
【００２５】
平面から見れば、第２基板３の内面に、四角い枠状のシール材（図示せず）が設けられている。液晶９は、第１基板２および第２基板３に挟持され、シール材により囲まれている。
【００２６】
図６に示す様に、第２基板３の裏面には、カラーフィルタ１０ａと、保護層１０と、共通電極１１が設けられている。
【００２７】
第１配線１２は例えばアルミニュウム等からなり、第１基板２の端部５から、略直角に第２基板３の端部４へ延び、共通電極用端子１３へ達する。この様に、第１配線１２は第１基板２上に配置されている。
【００２８】
第１配線１２の先端（共通電極用端子）１３は導電部１４を介して、共通電極１１に接続されている。導電部１４の周辺には、ドーナツ状のスペーサ１５が配置されている。共通電極用端子１３の周辺には、第１絶縁層１６が配置されている（図６参照）。
【００２９】
第１基板２上には、行列状に複数の信号線１７および複数の走査線１８が形成されている。信号線１７および走査線１８の各交点近傍には、ＴＦＴが形成されている。
【００３０】
各ＴＦＴのゲートは、各走査線１８に接続されている。各ＴＦＴのソースは各信号線１７に接続されている。各ＴＦＴのドレインは、各交点の近傍に形成された各画素電極に接続されている。
【００３１】
第１配線１２に対し、一側（例えば左側）に位置し、突出部８上に配置され、液晶９を駆動する第１ＩＣ１９，２０が設けられている。第１ＩＣ１９，２０は例えばソースドライバである。
【００３２】
第１配線１２に対して、他側（例えば右側）に位置し、突出部８上に配置され、液晶９を駆動する第２ＩＣ２１，２２が設けられている。第２ＩＣ２１は例えばソースドライバである。第２ＩＣ２２は例えばゲートドライバである。
【００３３】
第１配線１２に対し、一側（例えば左側）に位置し、第１ＩＣ１９，２０に対して、各制御信号および各電圧を供給する第１配線群２３が設けられている。
【００３４】
第１配線１２に対し、他側（例えば右側）に位置し、第２ＩＣ２１，２２に対して、各制御信号および各電圧を供給する第２配線群２４が設けられている。
【００３５】
第２ＩＣの一方２１は、第１配線１２の近くに配置されている。一方の第２ＩＣ２１は例えばソースドライバからなり、その出力端子は各信号線１７に接続されている。
【００３６】
第２ＩＣの他方２２は、第１配線１２の遠くに配置されている。他方の第２ＩＣ２２は例えばゲートドライバからなり、その出力端子は各走査線１８に接続されている。
【００３７】
図４に示す様に、第２配線２５は、第１端子２６と、第１中継部２７と、第２端子２８とからなる。図５に示す様に、第１中継部２７は、第１基板２上に順に設けられた第１導電層２９と、第１絶縁層３０と、第２導電層３１と、第２絶縁層３２とからなる。
【００３８】
また、第１絶縁層３０は、第１導電層２９が形成されない部分において、第１基板２上に形成されている。第２絶縁層３２は、第２導電層３１が形成されていない部分において第１絶縁層３２上に形成されている。
【００３９】
第１導電層２９および第２導電層３１は略同一の幅に形成されている。第１導電層２９は第２導電層３１よりも厚く形成されている。第１導電層２９および第２導電層３１は例えば、アルミニュウム等からなる。第２導電層３１は、第１導電層２９の真上に形成されている。
【００４０】
第１端子２６は、第１基板２の端部５の近傍に配置されている（図１と図２を参照）。一方の第２ＩＣ２１に設けられた出力端子および入力端子は、一方の第２ＩＣ２１の外形の内側に位置する様に、一方の第２ＩＣ２１の底面に形成されている。第２端子２８は、一方の第２ＩＣ２１に設けられた複数の入力端子の下方に配置され、接続されている。
【００４１】
この様に、一方の第２ＩＣ２１の入力端子に接続される第２端子２８と、第１基板２の端部５の近傍に配置された第１端子２６との間に、高さ方向に分離した多層の導電層２９と３１からなる第１中継部２７が設けられている。
【００４２】
図４と図６に示す様に、第１端子２６の１部３３，３４および第２端子２８の１部３６は、第１導電層２９に連なって形成され、露出されている。
【００４３】
同様に、第１端子２６の他部３５および第２端子２８の他部３７は、第２導電層３１に連なって形成され、露出されている。この様に、平面から見て（図４参照）、第１端子２６の１部３３，３４と、第１端子２６の他部３５は離れて形成されている。同様に、第２端子の１部３６と、第２端子の他部３７は離れて形成されている。
【００４４】
図４に示す様に、第２端子の１部３６の幅は、一方の第２ＩＣ２１に設けられた、より多い数（図４では、４個を例示）を覆う様に形成されている。第２端子の他部３７の幅は一方の第２ＩＣ２１に設けられた、より少ない数（図４では、３個を例示）を覆う様に形成されている。
【００４５】
図２に示す様に、第２配線２５を構成する第１端子２６は３個の端子ＶＳＨＡを有している。第２配線２５を構成する第２端子２８は、７個の端子ＶＤＤ２を有している。この様に、第２配線２５には、駆動用電圧（例えば、５ボルト）が供給される。
【００４６】
図２において、第２配線２５ａも第２配線２５と同様に、第１端子２６ａと、第１中継部２７ａと、第２端子２８ａとからなる。
【００４７】
第１端子２６ａは３個の端子ＧＮＤを有している。第２端子２８ａは２３個の端子ＶＳＳ１，ＶＳＳ２を有している。第１中継部２７ａの構成は第１中継部２７と同一である。この様に、第２配線２５ａには、接地電圧が供給される。
【００４８】
一方の第２ＩＣ２１には、第２配線群２４を介して、各制御信号Ｌ／Ｒ，ＩＮＨ，ＣＳＥＬ，画像データＶＢ，ＶＧ，ＶＲとＣＬＫ等が入力される。
【００４９】
他方の第２ＩＣ２２には、第２配線群２４を介して、各電圧ＶＤＤ１，ＶＤＤ２，ＶＥＥ１，ＶＥＥ２，ＶＳＳ等が供給される。他方の第２ＩＣ２２には、第２配線群２４を介して、各信号ＤＳＯＥ，ＯＥ，ＣＬＫ，ＳＴＶ，Ｒ／Ｌ，ＤＳ等が供給される。
【００５０】
図１と図３に示す様に、第１ＩＣ１９，２０は複数個が離れて配置され、各第１ＩＣ１９，２０の出力端子は、各信号線１７に接続されている。
【００５１】
第１配線１２に対して、遠くに位置する第１ＩＣ２０の入力端子に接続される第４端子３８が形成されている。第１基板２の端部５の近傍に、第３端子３９が形成されている。
【００５２】
図１ないし図３に示す様に、第３配線４０は、第３端子３９と、第２中継部４１と、第４端子３８とからなる。図５と同様に、第２中継部４１は、第１基板２上に順に設けられた第１導電層２９と、第１絶縁層３０と、第２導電層３１と、第２絶縁層３２とからなる。
【００５３】
また、第１絶縁層３０は、第１導電層２９が形成されない部分において、第１基板２上に形成されている。第２絶縁層３２は、第２導電層３１が形成されていない部分において第１絶縁層３２上に形成されている。
【００５４】
第１導電層２９および第２導電層３１は略同一の幅に形成されている。第１導電層２９は第２導電層３１よりも厚く形成されている。第１導電層２９および第２導電層３１は例えば、アルミニュウム等からなる。第２導電層３１は、第１導電層２９の真上に形成されている。
【００５５】
第３端子３９は、第１基板２の端部５の近傍に配置されている。第１配線１２に対して遠くに位置する第１ＩＣ２０に設けられた出力端子および入力端子は、第１ＩＣ２０の外形の内側に位置する様に、第１ＩＣ２０の底面に形成されている。第４端子３８は、第１ＩＣ２０に設けられた複数の入力端子の下方に配置され、接続されている。
【００５６】
この様に、第１ＩＣ２０の入力端子に接続される第４端子３８と、第１基板２の端部５の近傍に配置された第３端子３９との間に、高さ方向に分離した多層の導電層２９と３１からなる第２中継部４１が設けられている。
【００５７】
図４と図６に示した構成と同様に、第３端子３９の１部３３，３４および第３端子の他部３６は、第１導電層２９に連なって形成され、露出されている。
【００５８】
同様に、第４端子の他部３６ａおよび第４端子の他部３７ａは、第２導電層３１に連なって形成され、露出されている。この様に、平面から見て、第３端子の１部３３，３４と、第３端子の他部３５は離れて形成されている。同様に、第４端子の１部３６ａと、第４端子の他部３７ａは離れて形成されている。
【００５９】
図４に示した構成と同様に、第４端子の１部３６ａの幅は、第１ＩＣ２０に設けられたより多い数（図３では、７個を例示）を覆う様に形成されている。第４端子の他部３７ａの幅は、第１ＩＣ２０に設けられた、より少ない数（図３では、４個を例示）を覆う様に形成されている。
【００６０】
図１に示す様に、第３配線４０を構成する第３端子３９は、３個の端子ＧＮＤを有している。第３配線４０を構成する第４端子３８は、１１個の端子ＶＳＳ１，ＶＳＳ２を有している。この様に、第３配線４０には、接地電圧が供給される。第１ＩＣ２０に接続される第３配線４０ａは、第３配線４０と同様な構成であり、駆動用電圧（例えば５ボルト）を供給する。
【００６１】
フレキシブルプリント基板４２は、第１配線群２３の入力側および第２配線群２４の入力側に接続されている。なお、第１ＩＣ１９と第２ＩＣ２１とを接続する配線４３は、スタート信号を伝送するものである。配線４３のみが、第１配線１２と立体交差している。
【図面の簡単な説明】
【００６２】
【図１】本発明の実施例に係る液晶表示装置１の模式図である。
【図２】液晶表示装置１の配線図の１部である。
【図３】液晶表装置１の配線図の残部である。
【図４】液晶表示装置１に用いられる第２配線の平面図である。
【図５】図４のＡ１Ａ２断面図である。
【図６】図４のＢ１Ｂ２断面図である。
【図７】液晶表示装置１に用いられる共通電極周辺の断面図である。
【符号の説明】
【００６３】
２  第１基板
３  第２基板
８  突出部
９  液晶
１１  共通電極
１２  第１配線
１９，２０  第１ＩＣ
２１，２２  第２ＩＣ
２３  第１配線群
２４  第２配線群
【図１】
2006349983.tif 000003
【図２】
2006349983.tif 000004
【図３】
2006349983.tif 000005
【図４】
2006349983.tif 000006
【図５】
2006349983.tif 000007
【図６】
2006349983.tif 000008
【図７】
2006349983.tif 000009